(57)【要約】【課題】ＩＣタグの読取精度を向上させて、貸出返却処理における処理時間を短縮することができる貸出返却処理システム、貸出返却処理方法及び貸出返却処理プログラムを提供する。【解決手段】ＩＣタグリーダライタ１１を備える業務用端末１０は、図書館サーバ２０に接続されている。図書館サーバ２０の制御部２１は、利用者識別子と貸出を行なう蔵書の入力冊数とを業務用端末１０から取得し、ＩＣタグリーダライタ１１から蔵書の資料識別子を取得する。制御部２１は、入力冊数と、資料識別子から算出した読取冊数とが一致しない場合には、取得した資料識別子を仮記憶した後に読取冊数の取得処理を実行し、又は仮記憶した資料識別子と比較して対象蔵書を特定する。特定した対象蔵書の数が入力冊数と一致しない場合には、配置変更を指示するメッセージを含む画面を表示させて、再度、読取冊数の取得処理を実行する。【選択図】図１
2009059066.tif 000002
【特許請求の範囲】
【請求項１】
所蔵物を特定する資料識別子に関連付けて所蔵物の貸出を管理する貸出管理データ記憶手段と、
所蔵物に設けられたＩＣタグから、これに記憶されている資料識別子を読み取るＩＣタグ読取手段と、
所蔵物の個数を取得する入力手段とに接続され、前記ＩＣタグ読取手段から取得した資料識別子に基づいて貸出又は返却を管理する制御手段を備えた貸出返却処理システムであって、
前記制御手段は、
貸出又は返却の対象となる所蔵物の予定数を前記入力手段から取得する手段と、
前記ＩＣタグ読取手段から取得した資料識別子の個数を算出して読取個数を取得する手段と、
前記予定数と前記読取個数とを比較する手段と、
前記読取個数が前記予定数と一致しない場合には、前記ＩＣタグ読取手段に対して、前記ＩＣタグを再度、読み取るように指示を行なう再読取手段と、
前記読取個数が前記予定数と一致した場合には、前記ＩＣタグ読取手段によって取得した資料識別子に関する貸出情報又は返却情報を、前記貸出管理データ記憶手段に記録する記録手段とを備えたことを特徴とする貸出返却処理システム。
【請求項２】
資料識別子を仮記憶するメモリを更に備え、
前記制御手段は、
前記ＩＣタグ読取手段から取得した資料識別子を前記メモリに仮記憶する手段と、
前記再読取手段の指示に応じて前記ＩＣタグ読取手段から取得した資料識別子の数を算出して新たな読取個数を取得する手段と、
新たな読取個数と前記予定数とが一致しない場合には、前記メモリに仮記憶した資料識別子と、新たな読取個数を算出するときに用いた資料識別子とを比較し、共通する資料識別子に基づいて、貸出又は返却の対象を特定する対象特定手段とを更に備えたことを特徴とする請求項１に記載の貸出返却処理システム。
【請求項３】
前記制御手段は、前記対象特定手段によって特定した対象の個数と前記予定数とを比較し、これらが一致しない場合には、前記ＩＣタグ読取手段から取得した所蔵物の配置変更を指示するメッセージを出力する手段を更に備えたことを特徴とする請求項２に記載の貸出返却処理システム。
【請求項４】
ＩＣタグには、所蔵物の貸出状態が書換可能に記憶されており、
前記制御手段は、前記ＩＣタグの貸出状態を書き換えるＩＣタグ書換手段に接続されており、
前記制御手段は、取得した資料識別子に関する貸出情報又は返却情報を前記貸出管理データ記憶手段に記録した後、前記ＩＣタグの貸出状態を書き換える手段を更に備えたことを特徴とする請求項１〜３の何れか１項に記載の貸出返却処理システム。
【請求項５】
所蔵物を特定する資料識別子に関連付けて所蔵物の貸出を管理する貸出管理データ記憶手段と、
所蔵物に設けられたＩＣタグから、これに記憶されている資料識別子を読み取るＩＣタグ読取手段と、
所蔵物の個数を取得する入力手段とに接続された制御手段を用いて、前記ＩＣタグ読取手段から取得した資料識別子に基づいて貸出又は返却を管理する貸出返却処理方法であって、
前記制御手段は、
貸出又は返却の対象となる所蔵物の予定数を前記入力手段から取得する段階と、
前記ＩＣタグ読取手段から取得した資料識別子の個数を算出して読取個数を取得する段階と、
前記予定数と前記読取個数とを比較する段階と、
前記読取個数が前記予定数と一致しない場合には、前記ＩＣタグ読取手段に対して、前記ＩＣタグを再度、読み取るように指示を行なう再読取段階と、
前記読取個数が前記予定数と一致した場合には、前記ＩＣタグ読取手段によって取得した資料識別子に関する貸出情報又は返却情報を、前記貸出管理データ記憶手段に記録する記録段階とを実行することを特徴とする貸出返却処理方法。
【請求項６】
所蔵物を特定する資料識別子に関連付けて所蔵物の貸出を管理する貸出管理データ記憶手段と、
所蔵物に設けられたＩＣタグから、これに記憶されている資料識別子を読み取るＩＣタグ読取手段と、
所蔵物の個数を取得する入力手段とに接続された制御手段を用いて、前記ＩＣタグ読取手段から取得した資料識別子に基づいて貸出又は返却を管理する貸出返却処理プログラムであって、
前記制御手段を、
貸出又は返却の対象となる所蔵物の予定数を前記入力手段から取得する手段、
前記ＩＣタグ読取手段から取得した資料識別子の個数を算出して読取個数を取得する手段、
前記予定数と前記読取個数とを比較する手段、
前記読取個数が前記予定数と一致しない場合には、前記ＩＣタグ読取手段に対して、前記ＩＣタグを再度、読み取るように指示を行なう再読取手段、及び
前記読取個数が前記予定数と一致した場合には、前記ＩＣタグ読取手段によって取得した資料識別子に関する貸出情報又は返却情報を、前記貸出管理データ記憶手段に記録する記録手段として機能させることを特徴とする貸出返却処理プログラム。
【発明の詳細な説明】
【技術分野】
【０００１】
本発明は、図書館における蔵書等の貸出や返却のときに用いられる貸出返却処理システム、貸出返却処理方法及び貸出返却処理プログラムに関する。
【背景技術】
【０００２】
近年の情報関連技術の発達により、図書館における蔵書（資料）の管理を電子化したシステムが検討されている（例えば、特許文献１参照。）。この特許文献１におけるサーバ装置は、クライアント端末と接続されているとともに、目録データベースや閲覧データベースにアクセス可能になっている。サーバ装置は、クライアント端末から取得した利用者ＩＤに応じた利用者情報を閲覧データベースから検索し、図書又は雑誌毎に割り当てられた資料ＩＤに応じた目録情報を目録データベースから検索する。サーバ装置は、検索した利用者情報及び目録情報に基づいて貸出情報を生成して閲覧データベースに登録し、この貸出情報と図書館毎の貸出規定とに基づいて貸出を行なう。
【０００３】
更に、近年のＩＣタグの普及により、ＩＣタグを用いて図書館における資料管理を行なうシステムも検討されている（例えば、特許文献２参照。）。この特許文献２に記載の図書館管理システムでは、図書及び図書館利用者カードの非接触ＩＣタグの識別ＩＤを読み取り、図書及び図書館利用カードの識別ＩＤとデータベース上の図書内容及び利用者を対応させて、貸出又は返却に関する記録を行なう。この場合、非接触ＩＣタグの識別ＩＤを一括して読み取ることができるので、図書館カウンターにおける貸出返却処理を効率よく行なうことができる。
【特許文献１】特開２００３−９１６２１号公報（図２及び図３）
【特許文献２】特開２００３−８５３２９号公報（図１及び図２）
【発明の開示】
【発明が解決しようとする課題】
【０００４】
このようなＩＣタグを利用することによって、図書館外の持出を管理することも可能である。この場合、貸出処理が行なわれたときにＩＣタグの状態フラグが、館内閲覧するときの持出禁止フラグから、館外への持出可能を示すフラグ（持出許可フラグ）に書き換えられる。そして、図書館の入退館ゲートは、ＩＣタグにおいて持出許可フラグを検知した場合のみ通行を許可し、持出禁止フラグを検知したときにはアラームを出力する。
【０００５】
しかしながら、ＩＣタグの識別ＩＤを一括して読み取って処理を行なう場合には、読取精度や書込精度が悪い場合があった。読取精度が悪い場合には、ＩＣタグの識別ＩＤを読み損ねることがあった。特に、一度に多数の蔵書の貸出処理を行なう場合には、読取精度によっては、すべての蔵書の識別ＩＤを取得することが難しく、一度の読み取りで貸出処理を完了することができないため、何回も貸出処理を行なうような場合もあった。また、書込精度が悪く、ＩＣタグの状態フラグの書換を失敗した場合には、貸出処理を行なった蔵書であっても、入退館ゲートにおいてアラームが出力してしまうこともあった。
【０００６】
本発明は、上述の課題に鑑みてなされ、その目的は、ＩＣタグの読取精度を向上させて、効率的に貸出処理や返却処理を行なうことができる貸出返却処理システム、貸出返却処理方法及び貸出返却処理プログラムを提供することにある。
【課題を解決するための手段】
【０００７】
上記問題点を解決するために、請求項１に記載の発明は、所蔵物を特定する資料識別子に関連付けて所蔵物の貸出を管理する貸出管理データ記憶手段と、所蔵物に設けられたＩ
Ｃタグから、これに記憶されている資料識別子を読み取るＩＣタグ読取手段と、所蔵物の個数を取得する入力手段とに接続され、前記ＩＣタグ読取手段から取得した資料識別子に基づいて貸出又は返却を管理する制御手段を備えた貸出返却処理システムであって、前記制御手段は、貸出又は返却の対象となる所蔵物の予定数を前記入力手段から取得する手段と、前記ＩＣタグ読取手段から取得した資料識別子の個数を算出して読取個数を取得する手段と、前記予定数と前記読取個数とを比較する手段と、前記読取個数が前記予定数と一致しない場合には、前記ＩＣタグ読取手段に対して、前記ＩＣタグを再度、読み取るように指示を行なう再読取手段と、前記読取個数が前記予定数と一致した場合には、前記ＩＣタグ読取手段によって取得した資料識別子に関する貸出情報又は返却情報を、前記貸出管理データ記憶手段に記録する記録手段とを備えたことを要旨とする。
【０００８】
請求項２に記載の発明は、請求項１に記載の貸出返却処理システムにおいて、資料識別子を仮記憶するメモリを更に備え、前記制御手段は、前記ＩＣタグ読取手段から取得した資料識別子を前記メモリに仮記憶する手段と、前記再読取手段の指示に応じて前記ＩＣタグ読取手段から取得した資料識別子の数を算出して新たな読取個数を取得する手段と、新たな読取個数と前記予定数とが一致しない場合には、前記メモリに仮記憶した資料識別子と、新たな読取個数を算出するときに用いた資料識別子とを比較し、共通する資料識別子に基づいて、貸出又は返却の対象を特定する対象特定手段とを更に備えたことを要旨とする。
【０００９】
請求項３に記載の発明は、請求項２に記載の貸出返却処理システムにおいて、前記制御手段は、前記対象特定手段によって特定した対象の個数と前記予定数とを比較し、これらが一致しない場合には、前記ＩＣタグ読取手段から取得した所蔵物の配置変更を指示するメッセージを出力する手段を更に備えたことを要旨とする。
【００１０】
請求項４に記載の発明は、請求項１〜３の何れか１項に記載の貸出返却処理システムにおいて、ＩＣタグには、所蔵物の貸出状態が書換可能に記憶されており、前記制御手段は、前記ＩＣタグの貸出状態を書き換えるＩＣタグ書換手段に接続されており、前記制御手段は、取得した資料識別子に関する貸出情報又は返却情報を前記貸出管理データ記憶手段に記録した後、前記ＩＣタグの貸出状態を書き換える手段を更に備えたことを要旨とする。
【００１１】
請求項５に記載の発明は、所蔵物を特定する資料識別子に関連付けて所蔵物の貸出を管理する貸出管理データ記憶手段と、所蔵物に設けられたＩＣタグから、これに記憶されている資料識別子を読み取るＩＣタグ読取手段と、所蔵物の個数を取得する入力手段とに接続された制御手段を用いて、前記ＩＣタグ読取手段から取得した資料識別子に基づいて貸出又は返却を管理する貸出返却処理方法であって、前記制御手段は、貸出又は返却の対象となる所蔵物の予定数を前記入力手段から取得する段階と、前記ＩＣタグ読取手段から取得した資料識別子の個数を算出して読取個数を取得する段階と、前記予定数と前記読取個数とを比較する段階と、前記読取個数が前記予定数と一致しない場合には、前記ＩＣタグ読取手段に対して、前記ＩＣタグを再度、読み取るように指示を行なう再読取段階と、前記読取個数が前記予定数と一致した場合には、前記ＩＣタグ読取手段によって取得した資料識別子に関する貸出情報又は返却情報を、前記貸出管理データ記憶手段に記録する記録段階とを実行することを要旨とする。
【００１２】
請求項６に記載の発明は、所蔵物を特定する資料識別子に関連付けて所蔵物の貸出を管理する貸出管理データ記憶手段と、所蔵物に設けられたＩＣタグから、これに記憶されている資料識別子を読み取るＩＣタグ読取手段と、所蔵物の個数を取得する入力手段とに接続された制御手段を用いて、前記ＩＣタグ読取手段から取得した資料識別子に基づいて貸出又は返却を管理する貸出返却処理プログラムであって、前記制御手段を、貸出又は返却
の対象となる所蔵物の予定数を前記入力手段から取得する手段、前記ＩＣタグ読取手段から取得した資料識別子の個数を算出して読取個数を取得する手段、前記予定数と前記読取個数とを比較する手段、前記読取個数が前記予定数と一致しない場合には、前記ＩＣタグ読取手段に対して、前記ＩＣタグを再度、読み取るように指示を行なう再読取手段、及び前記読取個数が前記予定数と一致した場合には、前記ＩＣタグ読取手段によって取得した資料識別子に関する貸出情報又は返却情報を、前記貸出管理データ記憶手段に記録する記録手段として機能させることを要旨とする。
【００１３】
（作用）
本発明によれば、制御手段は、貸出又は返却の対象となる所蔵物の予定数を入力手段から取得し、ＩＣタグ読取手段から取得した資料識別子の数を算出して読取個数を取得し、これら予定数と読取個数とを比較する。制御手段は、予定数と読取個数とが一致しない場合には、ＩＣタグ読取手段に対して、ＩＣタグを再度、読み取るように指示を行ない、読取個数と予定数とが一致した場合には、ＩＣタグ読取手段によって取得した資料識別子に関する貸出情報又は返却情報を、貸出管理データ記憶手段に記録する。このため、ＩＣタグ読取手段が取得したＩＣタグに基づく読取個数が予定数と一致しない場合には、ＩＣタグ読取手段は、ＩＣタグの読取を繰り返して実行する。従って、ＩＣタグの読取精度の向上が期待できるので、貸出返却処理における処理時間を短縮することができる。
【００１４】
本発明によれば、制御手段は、ＩＣタグ読取手段から取得した資料識別子をメモリに仮記憶する。制御手段は、再読取手段の指示に応じてＩＣタグ読取手段から取得した資料識別子の数を算出して新たな読取個数を取得する。制御手段は、新たな読取個数と予定数とが一致しない場合には、メモリに仮記憶した資料識別子と、新たな読取個数を算出するときに用いた資料識別子とを比較し、共通する資料識別子に基づいて、貸出又は返却の対象を特定する。このため、ＩＣタグから繰り返して取得した資料識別子を用いて、貸出又は返却の対象をより正確に特定することができる。
【００１５】
本発明によれば、制御手段は、対象特定手段によって特定した貸出又は返却の個数と、前記予定数とを比較し、これらが一致しない場合には、ＩＣタグ読取手段から取得した所蔵物の配置変更を指示するメッセージを出力する。配置を少し変更するだけでも、ＩＣタグ読取手段が取得する資料識別子が相違することが期待できる。従って、繰り返し読取処理を行なっても、予定数に一致する数の資料識別子を取得できない場合には、所蔵物の配置を変更するという簡単な操作を行なうことにより、貸出又は返却の対象をより正確に特定することができる。
【００１６】
本発明によれば、制御手段は、取得した資料識別子に関する貸出情報又は返却情報を貸出管理データ記憶手段に記録した後、ＩＣタグの貸出状態を書き換える。このため、ＩＣタグに記録された貸出状態によって所蔵物の館外持出を管理している場合には、貸出返却処理においてＩＣタグの貸出状態を変更することができる。
【発明の効果】
【００１７】
本発明によれば、ＩＣタグの読取精度を向上させて、貸出返却処理における処理時間を短縮することができる。
【発明を実施するための最良の形態】
【００１８】
以下、本発明を具体化した一実施形態を図１〜図４に基づいて説明する。本実施形態では、図書館の所蔵物である蔵書に貼付されたＩＣタグを用いて、蔵書の貸出を行なう貸出処理や貸し出した蔵書の返却を行なう返却処理等を実行する貸出返却処理システムとしての図書館サーバ２０について説明する。
【００１９】
本実施形態において貸し出される蔵書（資料）には、ＩＣタグが貼付されている。このＩＣタグは、ＩＣメモリ及びアンテナを備える。ＩＣメモリには、各蔵書を特定するための資料識別子であるＩＣタグコードと、蔵書の貸出状態を示すＩＣ状態フラグとが記録されている。ここで、ＩＣ状態フラグは、「貸出」又は「返却」の状態を示す何れかのフラグである。図書館の入退館ゲートにおいて、ＩＣメモリに「返却」フラグが記録された蔵書を検知した場合、アラームが出力される（ここでは、ブザー音が鳴る）ようになっている。ＩＣタグのアンテナは、ＩＣメモリに対してデータの読出及び書込のために、ＩＣタグリーダライタや入退館ゲートとの間で無線通信を行なう。
【００２０】
更に、蔵書には、数列が付されたバーコードが貼付されている。これらバーコード及び数列には、ＩＣメモリに記憶されている資料識別子と同じ資料識別子が表示されている。
図１に示すように、ＩＣタグが貼付された蔵書を管理する図書館サーバ２０は、ネットワークを介して、業務用端末１０に接続されており、この業務用端末１０とデータの送受信を行なう。業務用端末１０は、図書館員が図書館の業務（貸出処理や返却処理等）を行なうために用いるコンピュータ端末であり、ディスプレイ、入力手段としてのキーボード、ポインティングデバイス及び図示しないバーコードリーダを備えている。
【００２１】
業務用端末１０の制御部は、図示しないＣＰＵ、ＲＡＭ及びＲＯＭ等を有し、ＩＣタグ一括書換プログラムを記録している。このＩＣタグ一括変換プログラムは、複数の蔵書のＩＣタグ状態フラグを一括して同じ状態に変更するためのプログラムである。
【００２２】
ディスプレイには、図書館の業務で用いられる各種画面等が表示される。キーボードやポインティングデバイスは、貸出や返却を行なう蔵書の冊数を入力したりＩＣタグの読取開始を指示したりＩＣ状態フラグを一括変更したりする場合に用いられる。バーコードリーダは、蔵書に貼付されているバーコードや利用者カードに表示されるバーコードなどからデータを読み取る。
【００２３】
また、業務用端末１０には、ＩＣタグ読取手段及びＩＣタグ書換手段としてのＩＣタグリーダライタ１１が接続されている。ＩＣタグリーダライタ１１は、貸出処理又は返却処理を行なう蔵書を置く載置台と、ＩＣタグに対して無線通信によりデータの送受信を行なうアンテナとを備える。このＩＣタグリーダライタ１１は、載置台に置かれた蔵書のＩＣタグのＩＣメモリに記憶されたＩＣタグコードを読み取り、ＩＣメモリに記憶されたＩＣ状態フラグの読み取りや書き込みを行なう。
更に、業務用端末１０には、プリンタが接続されている。このプリンタは、一度の貸出処理によって同時に貸し出された蔵書のリストを印刷する。
【００２４】
業務用端末１０が接続している図書館サーバ２０は、制御手段としての制御部２１を備える。制御部２１は、図書館が所蔵する書籍等の蔵書について、貸出や返却などの図書館業務を行なうために用いられる。この制御部２１は、図示しないＣＰＵ、ＲＡＭ及びＲＯＭ等を有し、後述する処理（再読取段階、対象特定段階及び記録段階等を含む処理）を行なう。そして、このための貸出返却処理プログラムを実行することにより、制御部２１は、貸出利用者特定手段２１１、冊数取得手段２１２、再読取手段としての資料識別子取得手段２１３、対象特定手段としての読取確認手段２１５、記録手段としての貸出・返却記録手段２１６及び状態フラグ書換手段２１７として機能する。更に、制御部２１は、資料識別子取得手段２１３が取得した資料識別子を仮記憶するメモリを備えている。
【００２５】
冊数取得手段２１２は、貸出又は返却の対象となる所蔵物の予定数である入力冊数を入力手段から取得する。
再読取手段である資料識別子取得手段２１３は、ＩＣタグ読取手段から取得した資料識別子の個数を算出して読取個数（読取冊数）を取得する。更に、資料識別子取得手段２１
３は、再読取手段の指示に応じてＩＣタグ読取手段から取得した資料識別子の数を算出して新たな読取個数を取得する。
【００２６】
読取確認手段２１５は、予定数と読取個数とを比較する。この読取確認手段２１５は、読取個数が予定数と一致しない場合には、ＩＣタグ読取手段に対して、ＩＣタグを再度、読み取るように指示を行なう。読取確認手段２１５は、ＩＣタグ読取手段から取得した資料識別子をメモリに仮記憶し、新たな読取個数と前記予定数とが一致しない場合には、メモリに仮記憶した資料識別子と、新たな読取個数を算出するときに用いた資料識別子とを比較し、共通する資料識別子に基づいて貸出又は返却の対象を特定する。更に、読取確認手段２１５は、特定した対象の個数と予定数とを比較し、これらが一致しない場合には、前記ＩＣタグ読取手段から取得した所蔵物の配置変更を指示するメッセージを出力する。
【００２７】
貸出・返却記録手段２１６は、読取個数が予定数と一致した場合には、ＩＣタグ読取手段によって取得した資料識別子に関する貸出情報又は返却情報を、貸出管理データ記憶手段に記録する。
状態フラグ書換手段２１７は、取得した資料識別子に関する貸出情報又は返却情報を貸出管理データ記憶手段に記録した後、ＩＣタグの貸出状態を書き換える。
【００２８】
制御部２１には、利用者データ記憶部２２、貸出管理データ記憶手段としての貸出管理データ記憶部２６及び蔵書データベース３０が接続されている。
【００２９】
利用者データ記憶部２２には、図書館を利用することができる利用者に関する利用者データが記録されている。この利用者データは、利用登録申請を行なわれた場合に記録される。この利用者データには、利用者識別子、利用者の氏名及び連絡先に関するデータが含まれる。
【００３０】
利用者識別子データ領域には、図書館の利用者を特定するための利用者識別子に関するデータが記録されている。この利用者識別子データは、利用者が図書館の貸出を行なうときに用いる利用者カードに、バーコードデータとして記録されている。
【００３１】
氏名データ領域には、この利用者の名前に関するデータが記録されている。
連絡先データ領域には、この利用者の連絡先に関するデータが記録されている。この利用者連絡先には、電話番号、住所や電子メールアドレスなどが用いられる。
【００３２】
貸出管理データ記憶部２６には、図書館における貸出を管理するために用いられる貸出管理データ２６０が記録される。この貸出管理データ２６０は、蔵書の貸出が行なわれた場合に記録される。この貸出管理データ２６０には、図２に示すように、資料識別子、利用者識別子、貸出年月日及び返却年月日に関するデータが含まれる。
【００３３】
資料識別子データ領域には、利用者に対して貸し出す蔵書を特定するための資料識別子に関するデータが記録される。
利用者識別子データ領域には、この蔵書を貸し出す利用者を特定するための利用者識別子に関するデータが記録される。
【００３４】
貸出年月日データ領域には、この蔵書の貸出が行なわれた年月日に関するデータが記録される。
返却年月日データ領域には、この蔵書が返却された年月日に関するデータが記録される。
【００３５】
蔵書データベース３０には、図書館が所蔵する図書や雑誌等に関する資料目録データが
記録されている。資料目録データは、図書や雑誌が蔵書として図書館に受け入れられて、その図書情報が登録された場合に記録される。資料目録データには、蔵書に関する所蔵データ及び書誌データが含まれる。所蔵データには、この蔵書の物理的な所在（配架）情報や貸出禁止の蔵書であることを示す貸出禁止フラグ等に関するデータを含む。
【００３６】
書誌データには、この蔵書のタイトル、著者情報、概略及び資料識別子等に関するデータが含まれる。タイトルデータ領域には、この蔵書の題名に関するデータが記録されている。著者情報データ領域には、この蔵書の著者に関するデータが記録されている。概略データ領域には、この蔵書の内容の概略に関するデータが記録されている。資料識別子データ領域には、この蔵書を特定するための資料識別子に関するデータが記録されている。この資料識別子を介して、この資料目録データと貸出管理データ２６０とが関連付けられる。なお、この資料識別子としては、例えばＩＳＢＮ（国際標準図書番号；International Standard Book Number）を用いてもよい。
【００３７】
次に、上述した図書館システムにおける処理について、図３及び図４を用いて説明する。ここでは、貸出処理、ＩＣタグ状態書換処理及び返却処理の順に説明する。
（貸出処理）
まず、蔵書の貸出の際に行なわれる貸出処理について説明する。利用者は、図書館の蔵書を借りる場合、利用者カードを提示して、貸出依頼を行なう。
【００３８】
図書館サーバ２０の制御部２１は、まず、貸出利用者の特定処理を実行する（ステップＳ１−１）。ここで、図書館職員は、バーコードリーダを用いて、提示された利用者カードに表示されているバーコードを読み取る作業を行なう。業務用端末１０は、バーコードリーダを介して読み取った利用者識別子を図書館サーバ２０に送信する。図書館サーバ２０の制御部２１の貸出利用者特定手段２１１は、取得した利用者識別子を含む利用者データを利用者データ記憶部２２から検索する。ここで、受信した利用者識別子を含む利用者データを取得できない場合には、利用者データがない旨を業務用端末１０に送信して表示させる。一方、利用者識別子を含む利用者データを取得した場合には、この利用者識別子を、この貸出処理によって貸出を行なう利用者の利用者識別子として特定する。
【００３９】
次に、図書館サーバ２０の制御部２１は、入力冊数の取得処理を実行する（ステップＳ１−２）。具体的には、図書館職員が、キーボードを用いて、利用者に対して貸し出す蔵書の冊数を入力する。業務用端末１０は、入力された冊数に関するデータを図書館サーバ２０に送信する。図書館サーバ２０の制御部２１の冊数取得手段２１２は、貸出対象の冊数（入力冊数）を取得し、読取確認手段２１５に供給する。
【００４０】
次に、図書館サーバ２０の制御部２１は、読取冊数の取得処理を実行する（ステップＳ１−３）。具体的には、制御部２１の資料識別子取得手段２１３は、業務用端末１０に対して、ＩＣタグを取得するための指示画面データを送信して、業務用端末１０のディスプレイに、ＩＣタグ読込ボタンを押下する旨の指示メッセージを含む画面を表示する。
【００４１】
ここで、図書館職員がＩＣタグ読取ボタンを選択すると、ＩＣタグリーダライタ１１は、載置台に置かれた蔵書のＩＣタグからＩＣタグコードを読み取ることにより資料識別子を取得し、業務用端末１０に供給する。業務用端末１０は、取得した資料識別子を図書館サーバ２０に転送する。そして、図書館サーバ２０の制御部２１の資料識別子取得手段２１３は、ＩＣタグリーダライタ１１が取得した資料識別子を取得し、読取確認手段２１５に供給する。
【００４２】
次に、制御部２１は、入力冊数と読取冊数とが一致するか否かを判断する（ステップＳ１−４）。具体的には、制御部２１の読取確認手段２１５は、資料識別子取得手段２１３
から供給された資料識別子の数をカウントし、この資料識別子の読取冊数と、冊数取得手段２１２から供給された入力冊数とを比較する。
【００４３】
比較した結果、読取冊数が入力冊数と一致しない場合（ステップＳ１−４において「ＮＯ」の場合）には、読取確認手段２１５は、資料識別子が既に仮記憶されているか否かを判断する（ステップＳ１−５）。具体的には、読取確認手段２１５は、メモリから仮記憶した資料識別子を抽出する。
【００４４】
ここで、この貸出処理において資料識別子の読取が初めてで、メモリから資料識別を抽出できない場合（ステップＳ１−５において「ＮＯ」の場合）には、読取確認手段２１５は、取得した資料識別子をメモリに仮記憶する（ステップＳ１−６）。
【００４５】
そして、制御部２１は、再度、読取冊数の取得処理を実行する（ステップＳ１−３）。具体的には、読取確認手段２１５は、資料識別子取得手段２１３に対して読取冊数の取得処理の再実行を指示する。
【００４６】
そして、図書館サーバ２０の制御部２１は、入力冊数と、新たに取得した読取冊数とが一致するか否かを判断する（ステップＳ１−４）。ここでも、入力冊数と読取冊数とが一致しない場合（ステップＳ１−４において「ＮＯ」の場合）には、読取確認手段２１５は、資料識別子が既にメモリに仮記憶されているか否かを判断する（ステップＳ１−５）。そして、資料識別子を既にメモリに仮記憶されている場合（ステップＳ１−５において「ＹＥＳ」の場合）には、読取確認手段２１５は、対象蔵書の特定処理を実行する（ステップＳ１−７）。具体的には、既にメモリに仮記憶されている資料識別子と、業務用端末１０から取得した資料識別子とを比較する。そして、業務用端末１０から取得した資料識別子において、メモリに仮記憶されていなかった資料識別子をメモリに追加する。
【００４７】
次に、制御部２１は、対象蔵書の特定処理において特定した蔵書の数が入力冊数に一致するか否かを判断する（ステップＳ１−８）。具体的には、制御部２１は、対象蔵書の特定処理において特定した資料識別子をカウントし、この資料識別子の数と入力冊数とを比較する。
【００４８】
ここで、対象蔵書の特定処理において特定した蔵書の数が入力冊数と一致しない場合（ステップＳ１−８において「ＮＯ」の場合）には、読取確認手段２１５は、配置変更表示処理を実行する（ステップＳ１−９）。具体的には、読取確認手段２１５は、資料識別子取得手段２１３に対して蔵書の配置変更の指示を供給する。
【００４９】
そして、制御部２１の資料識別子取得手段２１３は、載置台にある蔵書の配置を変更させるための配置変更指示画面データを生成し、業務用端末１０のディスプレイに、蔵書の配置変更を指示するメッセージを含む配置変更指示画面を表示する。なお、この配置変更指示画面には、バーコード読取用ボタン及びキーボード入力用ボタンが含まれる。これらのボタンは、配置を変更してのＩＣタグ読み取りを断念する場合に用いられる。すなわち、バーコード読取用ボタン及びキーボード入力用ボタンは、ＩＣタグコードで資料識別子を読み取る代わりに、それぞれバーコード読み取りやキーボード入力によって資料識別子を取得するためのボタンである。これらのボタンが選択された場合には、バーコードリーダやキーボードにおいて入力された資料識別子を貸出処理において利用する。
【００５０】
そして、配置変更指示画面のメッセージを閲覧した図書館職員は、載置台にある蔵書の配置変更を行ない、再び、ＩＣタグ読込ボタンを選択する。これにより、ＩＣタグリーダライタ１１は、読取冊数の取得処理を実行し（ステップＳ１−３）、取得した資料識別子の数（読取冊数）と、入力冊数とが一致するか否かを判断する（ステップＳ１−４）。こ
こでも、資料識別子の数と入力冊数とが一致しない場合には、制御部２１は、上記ステップＳ１−５〜Ｓ１−９を行なう。
【００５１】
一方、資料識別子の数と入力冊数とが一致した場合（ステップＳ１−４又はＳ１−８において「ＹＥＳ」の場合）には、制御部２１は、貸出の記録処理を実行する（ステップＳ１−１０）。この場合、制御部２１の貸出・返却記録手段２１６は、資料チェック処理を実行する。具体的には、貸出・返却記録手段２１６は、取得した資料識別子を含む資料目録データを蔵書データベース３０から抽出する。そして、抽出した資料目録データが貸出禁止資料フラグを含んでいないことを確認する。
【００５２】
次に、貸出・返却記録手段２１６は、取得した資料識別子と、貸出利用者特定手段２１１が取得した利用者識別子とを含む貸出管理データ２６０を生成し、貸出管理データ記憶部２６に記録する。ここで、取得した資料識別子が複数ある場合には、各資料識別子と利用者識別子とをそれぞれ組み合わせた貸出管理データ２６０が複数生成されて記録される。更に、貸出・返却記録手段２１６は、生成した貸出管理データ２６０に、この日の年月日を貸出年月日として記録する。なお、貸出・返却記録手段２１６は、メモリに仮記憶していた資料識別子を削除する。
【００５３】
次に、制御部２１は、状態フラグの書換処理を実行する（ステップＳ１−１１）。具体的には、制御部２１の状態フラグ書換手段２１７は、業務用端末１０を介してＩＣタグリーダライタ１１に対して、ＩＣタグ状態書換処理を行なう指示信号を送信する。ＩＣタグリーダライタ１１は、載置台の上にある蔵書のＩＣタグコードを読出し、このＩＣタグコードと対になっているＩＣ状態フラグを「貸出」を示すフラグに書き換える。
【００５４】
そして、ＩＣタグリーダライタ１１は、ＩＣ状態フラグの書換を終了すると、完了メッセージを業務用端末１０に送信する。業務用端末１０は、資料の貸出が完了した旨をディスプレイに表示する。更に、業務用端末１０は、この貸出処理で貸出を行なった蔵書の一覧リストをプリンタから出力する。この出力された一覧リストは、貸出を依頼した利用者に提供される。以上により貸出処理が完了する。
【００５５】
（ＩＣタグ状態書換処理）
次に、ＩＣタグ状態書換処理について説明する。このＩＣタグ状態書換処理は、貸出処理を行なった蔵書のＩＣタグのＩＣ状態フラグが「貸出」を示すフラグに書き換わらなかった場合等に行なわれる。例えば、状態フラグの書換処理（ステップＳ１−１１）において、貸出された蔵書のＩＣタグのＩＣ状態フラグが「貸出」を示すフラグにならなかった場合、この蔵書を図書館外に持ち出そうとした利用者が入退館ゲートを通過するとブザーが鳴る。この利用者は、出力された一覧リストを図書館員に提示して、貸出を行なった蔵書をＩＣタグリーダライタ１１に載置する。提示された一覧リストによって蔵書の貸出を確認した図書館員は、業務用端末１０を操作して、ＩＣタグ一括変換プログラムを起動する。この場合、業務用端末１０は、ディスプレイに図４（ａ）に示すＩＣタグ状態書換処理画面５００を表示する。
【００５６】
このＩＣタグ状態書換処理画面５００には、資料の読込を行なう旨のメッセージ、現在フラグ表示領域、ＩＣ読込ボタン、貸出状態書換ボタン、返却状態書換ボタン及びクリアボタンが含まれている。現在フラグ表示領域は、資料識別子と、これに対応するＩＣ状態フラグとを表示するための表示領域である。ＩＣ読込ボタンは、ＩＣタグの状態フラグの読込を行なうときに用いられる。貸出状態書換ボタンは、現在フラグ表示領域に表示された資料のＩＣ状態フラグを一括して「貸出」を示すフラグに書き換える場合に用いられる。返却状態書換ボタンは、現在フラグ表示領域に表示された資料のＩＣ状態フラグを一括して「返却」を示すフラグに書き換える場合に用いられる。クリアボタンは、現状フラグ
表示領域に表示されたリストをクリアして、次の資料を読み込む場合に用いられる。
【００５７】
ここで、図書館職員は、ＩＣ読取ボタンを選択する。これにより、ＩＣタグリーダライタ１１は、載置台にある蔵書に貼付されたＩＣタグから資料識別子を取得し、図４（ｂ）のＩＣタグ状態書換処理画面５００に示すように、現在フラグ表示領域に表示する。なお、このＩＣタグ状態書換処理画面５００には、一括して変更するＩＣ状態フラグを選択する旨のメッセージが含まれている。
【００５８】
ここで、図書館職員は、貸出状態書換ボタンを選択する。これにより、業務用端末１０は、ＩＣタグリーダライタ１１に対してＩＣ書込指示を行なう。これに応じて、ＩＣタグリーダライタ１１は、載置台の蔵書のＩＣタグのＩＣ状態フラグを「貸出」を示すフラグに一括して変更する。そして、業務用端末１０は、書換を行なったＩＣタグのＩＣ状態フラグを読み出し、状態フラグがすべて「貸出」になっていることを確認した場合には、図４（ｃ）のＩＣタグ状態書換処理画面５００に示すように、現在フラグ表示領域に、各資料識別子に対応するＩＣ状態フラグを表示する。以上により、ＩＣタグ状態書換処理が完了する。
【００５９】
（返却処理）
次に、貸し出した蔵書を図書館に返却するときの返却処理について説明する。借りていた蔵書を返却する場合には、この蔵書を借りていた利用者は貸出管理データ２６０から特定できるため、利用者カードが不要である。そして、この返却処理においては、上述した貸出処理において貸出利用者の特定処理（ステップＳ１−１）を除いた処理を行なう。
【００６０】
まず、返却処理において、図書館サーバ２０の制御部２１は、ステップＳ１−２と同様に、入力冊数の取得処理を実行する。具体的には、返却される蔵書の冊数を図書館職員が入力すると、制御部２１の冊数取得手段２１２は、入力された冊数のデータを業務用端末１０から取得する。次に、制御部２１は、ステップＳ１−３〜Ｓ１−９と同様な処理を行なって、入力冊数と一致する読取冊数の資料識別子を取得する。
【００６１】
そして、制御部２１は、返却の記録処理を実行する。この場合、制御部２１の貸出・返却記録手段２１６は、取得したＩＣタグコードの資料識別子を含む貸出管理データ２６０を貸出管理データ記憶部２６から抽出し、この貸出管理データ２６０の返却年月日に今日の年月日を記録する。
【００６２】
次に、制御部２１は、ステップＳ１−１１と同様に、状態フラグの書換処理を実行する。ここで、制御部２１の状態フラグ書換手段２１７は、ＩＣタグリーダライタ１１に対して、ＩＣタグ状態書換処理を行なう指示信号を送信して、載置台の上にある蔵書のＩＣタグの状態フラグを「返却」に書き換える。以上により、返却処理が完了する。
【００６３】
本実施形態によれば、以下のような効果を得ることができる。
・  本実施形態では、図書館サーバ２０の制御部２１は、ステップＳ１−２で取得した入力冊数と、ステップＳ１−３で取得した資料識別子の読取冊数とを比較する。比較した結果、入力冊数と読取冊数とが一致しない場合（ステップＳ１−４において「ＮＯ」の場合）には、取得した資料識別子の仮記憶（ステップＳ１−６）又は配置変更表示処理（ステップＳ１−９）を行なった後、再度、読取冊数の取得処理を実行する（ステップＳ１−３）。そして、入力冊数と読取冊数とが一致した場合（ステップＳ１−４又はＳ１−８において「ＹＥＳ」の場合）には、貸出の記録処理を実行する（ステップＳ１−１０）。また、返却処理においても、図書館サーバ２０の制御部２１は、入力冊数の取得処理を実行し、ステップＳ１−３〜Ｓ１−９と同様な処理を行なって、入力冊数と一致する読取冊数の資料識別子を取得して、返却の記録処理を実行する。このため、ＩＣタグリーダライタ
１１が読み取ったＩＣタグコードに基づく読取冊数が入力冊数と一致しない場合には、ＩＣタグの読取を繰り返して実行する。従って、ＩＣタグの読取精度の向上が期待できるので、貸出処理や返却処理における処理時間を短縮することができる。
【００６４】
・  本実施形態では、図書館サーバ２０の制御部２１は、ステップＳ１−２で取得した入力冊数と、ステップＳ１−３で取得した資料識別子の読取冊数とを比較する。入力冊数と読取冊数とが一致しない場合（ステップＳ１−４において「ＮＯ」の場合）には、資料識別子の仮記憶を行なった後（ステップＳ１−６）、再度、読取冊数の取得処理を実行する（ステップＳ１−３）。ここでも、入力冊数と読取冊数とが一致しない場合（ステップＳ１−４において「ＮＯ」の場合）には、メモリから資料識別子を抽出し（ステップＳ１−５において「ＹＥＳ」）、読取確認手段２１５は、対象蔵書の特定処理を実行する（ステップＳ１−７）。ここでは、抽出した資料識別子と、再度取得した資料識別子とを比較し、取得した資料識別子において、メモリに仮記憶されていなかった資料識別子をメモリに追加する。そして、制御部２１は、対象蔵書の特定処理において特定した蔵書をカウントし、この蔵書の数が入力冊数に一致するか否かを判断する（ステップＳ１−８）。なお、返却処理においても、同様な処理が行なわれる。このため、入力冊数と読取冊数とが一致しなかった場合、繰り返して取得した資料識別子を用いて、貸出又は返却の対象をより正確に特定することができる。
【００６５】
・  本実施形態では、図書館サーバ２０の制御部２１は、対象蔵書の特定処理において特定した蔵書の数が入力冊数と一致しない場合（ステップＳ１−８において「ＮＯ」の場合）には、読取確認手段２１５は、配置変更表示処理を実行する（ステップＳ１−９）。ここで、読取確認手段２１５は、載置台にある蔵書の配置変更を指示するメッセージを含む画面データを生成する指示を行ない、資料識別子取得手段２１３は、受信した指示に応じた配置変更指示画面データを生成して、業務用端末１０に送信する。業務用端末１０は、蔵書の配置変更を指示するメッセージを含む配置変更指示画面をディスプレイに表示する。蔵書の配置変更を指示するメッセージを閲覧した図書館職員は、蔵書の配置変更を行ない、再び、ＩＣタグ読込ボタンを押下する。これにより、図書館サーバ２０の制御部２１は、読取冊数の取得処理を実行し（ステップＳ１−３）、入力冊数と、新たに取得した資料識別子の読取冊数とが一致するか否かを判断する（ステップＳ１−４）。この場合、配置を少し変更するだけでもＩＣタグリーダライタ１１が取得する資料識別子が相違することが期待できる。従って、読取冊数の取得処理を繰り返し行なっても貸出又は返却する蔵書の資料識別子をすべて読み取ることができない場合には、配置を変更するという簡単な操作を行なって、貸出又は返却の対象をより正確に特定することができる。
【００６６】
・  本実施形態では、配置変更指示画面には、バーコード読取用ボタン及びキーボード入力用ボタンが含まれる。バーコード読取用ボタン及びキーボード入力用ボタンは、ＩＣタグコードで資料識別子を読み取る代わりに、それぞれバーコード及びキーボードで識別コードを取得するためのボタンである。このため、蔵書の配置変更を指示するメッセージを閲覧した図書館職員が、蔵書の配置変更を行なっても、入力冊数に一致する数の資料識別子を特定できない場合には、バーコードリーダやキーボード等を用いて、資料識別子を取得することができる。
【００６７】
・  本実施形態では、図書館サーバ２０の制御部２１は、貸出の記録処理（ステップＳ１−１０）や返却の記録処理を実行した後には、状態フラグの書換処理を実行する（ステップＳ１−１１）。このため、ＩＣタグに記録された貸出状態によって蔵書の無断館外持出を管理している場合には、貸出処理又は返却処理においてＩＣタグの貸出状態を変更することができる。
【００６８】
・  本実施形態では、図書館サーバ２０に接続される業務用端末１０の制御部には、Ｉ
Ｃタグ一括書換プログラムを記録する。貸出処理を行なった蔵書のＩＣタグのＩＣ状態フラグが「貸出」を示すフラグにならなかった場合等には、ＩＣタグ一括変換プログラムを起動して、現在フラグ表示領域、ＩＣ読込ボタン及び貸出状態書換ボタン等を含むＩＣタグ状態書換処理画面５００を表示する。ＩＣ読取ボタンが選択されると、ＩＣタグリーダライタ１１は、載置台にある蔵書から資料識別子を取得し、ＩＣタグ状態書換処理画面５００に各資料識別子を表示する。このＩＣタグ状態書換処理画面５００の貸出状態書換ボタンが選択されると、ＩＣタグリーダライタ１１は、載置台の蔵書のＩＣタグのＩＣ状態フラグを「貸出」を示すフラグに一括で変更する。この場合、書き換えるＩＣタグの元の状態に関係なく、ＩＣタグ状態書換処理画面５００に表示された資料識別子のＩＣ状態フラグは一括で変更される。従って、状態フラグの書換処理（ステップＳ１−１１）等において貸出した一部の蔵書のＩＣ状態フラグの書換が失敗した場合、その蔵書を抜き出して特定しなくても、ＩＣ状態フラグを正しいフラグに書き換えることができる。更に、業務用端末１０に記憶させたＩＣタグ一括変換プログラムによって、蔵書のＩＣタグのＩＣ状態フラグを変更することができるため、ＩＣ状態フラグを変更するために貸出管理データ記憶部２６にアクセスする必要がなく、図書館システムのネットワークがダウンした状態でも、ＩＣ状態フラグの変更を行なうことができる。
【００６９】
また、上記実施形態は以下のように変更してもよい。
○  上記実施形態においては、ステップＳ１−１〜ステップＳ１−９までの処理を図書館サーバ２０の制御部２１において行なった。これに代えて、ステップＳ１−２〜ステップＳ１−９までの処理を業務用端末１０において行なってもよい。具体的には、業務用端末１０に、資料識別子を仮記憶するメモリを設ける。業務用端末１０の制御部は、利用者識別子を取得し、入力冊数の取得処理を実行し（ステップＳ１−２）、読取冊数の取得処理を実行し（ステップＳ１−３）、入力冊数と読取冊数とを比較する。業務用端末１０の制御部は、入力冊数と読取冊数とが一致しない場合（ステップＳ１−４において「ＹＥＳ」の場合）には、資料識別子を仮記憶し（ステップＳ１−６）、又は対象蔵書の特定処理を実行する（ステップＳ１−７）。対象蔵書の特定処理において特定した資料識別子の数が入力冊数に一致しない場合（ステップＳ１−８において「ＮＯ」の場合）、配置変更表示処理を行なって（ステップＳ１−９）、再度、読取冊数の取得を実行する（ステップＳ１−３）。このようにステップＳ１−２〜Ｓ１−９を行なって、入力冊数と資料識別子の数とが一致した場合には、業務用端末１０の制御部は、取得した利用者識別子及び資料識別子を図書館サーバ２０の制御部２１に供給する。制御部２１は、取得した利用者識別子を含む利用者データを利用者データ記憶部２２から検索して、貸出利用者を特定する。そして、特定した利用者識別子と各資料識別子とを含む貸出管理データ２６０を生成して貸出管理データ記憶部２６に記録する。
【００７０】
○  上記実施形態においては、対象蔵書の特定処理（ステップＳ１−７）において、制御部２１は、抽出した資料識別子と取得した資料識別子とを比較する。そして、業務用端末１０から取得した資料識別子において、メモリに仮記憶されていなかった資料識別子をメモリに追加する。これに代えて、読取冊数と入力冊数とを比較した結果、読取冊数が入力冊数よりも多い場合には、共通する資料識別子のみを対象蔵書として特定してもよい。具体的には、対象蔵書の特定処理（ステップＳ１−７）において、読取冊数が入力冊数よりも少ない場合には、上記実施形態で説明したように、業務用端末１０から取得した資料識別子において、メモリに仮記憶されていなかった資料識別子をメモリに追加する。一方、読取冊数が入力冊数よりも多い場合には、共通する資料識別子によって特定される蔵書を対象蔵書として特定し、相違する資料識別子を対象蔵書として利用しない。これにより、貸出処理や返却処理の対象である蔵書以外の蔵書の資料識別子を取得した場合には、これを除外することが期待できるので、貸出返却処理における処理時間をより短縮することができる。
【００７１】
○  上記実施形態においては、貸出返却処理の対象として図書館が所蔵する蔵書について説明した。これに限らず、貸出返却処理を行なう対象は、図書館が貸出を行なっているＣＤ（compact disc）や、映画等を記録した録画用テープなどの視聴覚資料についても適用することができる。
【図面の簡単な説明】
【００７２】
【図１】実施形態におけるシステムの概略図。
【図２】貸出管理データ記憶部に記録されたデータ構成を説明する説明図。
【図３】実施形態における貸出処理の処理手順を説明するための流れ図。
【図４】ＩＣタグ状態書換処理画面を説明するための説明図であり、（ａ）はＩＣタグ一括変換プログラムを起動した状態、（ｂ）はＩＣ状態フラグを読み込んだ状態、（ｃ）ＩＣ状態フラグを一括して変更した状態を示す。
【符号の説明】
【００７３】
１０…業務用端末、１１…ＩＣタグ読取手段及びＩＣタグ書換手段としてのＩＣタグリーダライタ、２０…貸出返却処理システムとしての図書館サーバ、２１…制御手段としての制御部、２２…利用者データ記憶部、２６…貸出管理データ記憶手段としての貸出管理データ記憶部、３０…蔵書データベース、２１１…貸出利用者特定手段、２１２…冊数取得手段、２１３…資料識別子取得手段、２１５…読取確認手段、２１６…貸出・返却記録手段、２１７…状態フラグ書換手段、２６０…貸出管理データ、５００…ＩＣタグ状態書換処理画面。
【図１】
2009059066.tif 000003
【図２】
2009059066.tif 000004
【図３】
2009059066.tif 000005
【図４】
2009059066.tif 000006